(57)【要約】【目的】初めて利用するユーザーであっても戸惑うことなく簡単に操作が可能であるだけでなく、リピーター・ユーザーにとってもより使い易い情報端末装置及び無線ＩＣチップを提供することである。【構成】映像記憶媒体に記憶されている画像のプリント指定操作が可能な情報端末装置であって、無線ＩＣチップを携帯するユーザーが前記情報端末装置に接近したことを検出し、該無線ＩＣチップ内の情報に基づいて前記情報端末装置のユーザーインターフェースをユーザーに応じて最適化させる構成を有することを特徴とする情報端末装置である。【選択図】        図１
2006035472.tif 000002
【特許請求の範囲】
【請求項１】
映像記憶媒体に記憶されている画像のプリント指定操作が可能な情報端末装置であって、無線ＩＣチップを携帯するユーザーが前記情報端末装置に接近したことを検出し、該無線ＩＣチップ内の情報に基づいて前記情報端末装置のユーザーインターフェースをユーザーに応じて最適化させる構成を有することを特徴とする情報端末装置。
【請求項２】
最適化させるユーザーインターフェースが、ユーザーが操作に入る前の初期画面であることを特徴とする請求項１に記載の情報端末装置。
【請求項３】
ユーザーインターフェースが、ユーザーの情報端末装置の操作履歴に基づき最適化させる構成を有することを特徴とする請求項１又は２に記載の情報端末装置。
【請求項４】
ユーザーインターフェースが、画像のプリント指定操作履歴に基づき最適化させる構成を有することを特徴とする請求項１〜３のいずれかに記載の情報端末装置。
【請求項５】
ユーザーインターフェースが、映像記憶媒体の種類に応じて最適化させる構成を有することを特徴とする請求項１〜４のいずれかに記載の情報端末装置。
【請求項６】
映像記憶媒体と無線ＩＣチップが一体的な構成を有することを特徴とする請求項１〜５のいずれかに記載の情報端末装置。
【請求項７】
請求項１〜６のいずれかに記載の情報端末装置に用いられる無線ＩＣチップであって、前記情報端末装置のユーザーインターフェースを最適化させるための情報が格納されていることを特徴とする無線ＩＣチップ。
【発明の詳細な説明】
【技術分野】
【０００１】
本発明は情報端末装置及び無線ＩＣチップに関し、詳しくは映像記憶媒体に記憶された画像のプリントを行う情報端末装置及び該情報端末装置に用いられる無線ＩＣチップに関する。
【背景技術】
【０００２】
デジタルカメラの普及に伴い、映像記憶媒体からのプリントが増えている。映像記憶媒体に記憶されている画像データからのプリントは、従来の写真店経由で行われる他、コンビニエンスストアや量販店等に設置されている情報端末装置による、所謂セルフプリント形式による方式が普及し出している（例えば、特許文献１及び２等参照）。
【０００３】
【特許文献１】特開２００２−２９７３４４号
【特許文献２】特開２００３−１４１２４１号
【発明の開示】
【発明が解決しようとする課題】
【０００４】
一般的な情報端末装置によるセルフプリントは、先ず、画面の指示に従って、携帯している映像記憶媒体の種類（規格）の選択、該映像記憶媒体の装填、プリントしたいコマの指定、サイズの指定、枚数の指定等の各種指定操作によって行われる。
【０００５】
指定操作は画面部のタッチパネルやマウス等によって行われ、各操作は最小限で済むように簡素化が図られてはいるが、初心者や不慣れなユーザーにとっては操作は判り難く煩雑であることは否めない。操作が判らずに滞ってしまった場合、セルフプリントであるが故に身近に店員等も常駐していないため、結局、プリントを諦めてしまうこともあるという問題点があった。
【０００６】
特に、ユーザー自身の携帯する映像記憶媒体の規格についてさえ覚束ない程度の初心者にとっては、複数の規格に応じて複数箇所設けられている装填箇所の何処に自分の映像記憶媒体を装填してよいかが判らず、指定操作の最初の段階である映像記憶媒体の装填さえできないという問題点があった。
【０００７】
反対に、セルフプリントを頻繁に行う操作に慣れたユーザーにとっては、毎回同じ決まりきった指定を繰り返すことが多いため、各指定操作（設定操作）が煩わしく、途中の指定操作を省略することなく全ての指定操作を順序良く操作しなければならない点で不満があった。
【０００８】
本発明は、初めて利用するユーザーであっても戸惑うことなく簡単に操作が可能であるだけでなく、リピーター・ユーザーにとってもより使い易い情報端末装置及び無線ＩＣチップを提供することを課題とする。
【課題を解決するための手段】
【０００９】
上記課題を解決する本発明は下記構成を有する。
【００１０】
１．映像記憶媒体に記憶されている画像のプリント指定操作が可能な情報端末装置であって、無線ＩＣチップを携帯するユーザーが前記情報端末装置に接近したことを検出し、該無線ＩＣチップ内の情報に基づいて前記情報端末装置のユーザーインターフェースをユーザーに応じて最適化させる構成を有することを特徴とする情報端末装置。
【００１１】
２．最適化させるユーザーインターフェースが、ユーザーが操作に入る前の初期画面であることを特徴とする上記１に記載の情報端末装置。
【００１２】
３．ユーザーインターフェースが、ユーザーの情報端末装置の操作履歴に基づき最適化させる構成を有することを特徴とする上記１又は２に記載の情報端末装置。
【００１３】
４．ユーザーインターフェースが、画像のプリント指定操作履歴に基づき最適化させる構成を有することを特徴とする上記１〜３のいずれかに記載の情報端末装置。
【００１４】
５．ユーザーインターフェースが、映像記憶媒体の種類に応じて最適化させる構成を有することを特徴とする上記１〜４のいずれかに記載の情報端末装置。
【００１５】
６．映像記憶媒体と無線ＩＣチップが一体的な構成を有することを特徴とする上記１〜５のいずれかに記載の情報端末装置。
【００１６】
７．上記１〜６のいずれかに記載の情報端末装置に用いられる無線ＩＣチップであって、前記情報端末装置のユーザーインターフェースを最適化させるための情報が格納されていることを特徴とする無線ＩＣチップ。
【００１７】
本明細書において、「プリント指定操作」とは、映像記憶媒体内に記憶されている画像（情報）中、プリントすべき画像を情報端末装置に指示し、プリントすべき設定を行う一連の操作をいうものであり、当該操作は、タッチパネル、キーボード、音声等の１又は２以上の組合せのいずれの手段によってもよい。
【発明の効果】
【００１８】
請求項１又は７に示す本発明によれば、ユーザーが携帯する無線ＩＣチップ内の情報に基づいて情報端末装置のユーザーインターフェースを最適化させる構成を有するので、個々のユーザー毎に操作のし易い情報端末装置となるため、操作間違いや操作不明等のプリント指定操作に伴うトラブルを著しく減じることができる。初めて利用するユーザーであっても戸惑うことなく簡単に操作が可能であるだけでなく、リピーター・ユーザーにとってもより使い易い。
【００１９】
請求項２に示す本発明によれば、ユーザーが操作に入る前の初期画面を最適化させる構成を有するので、馴染みの画面から操作を開始することができる。
【００２０】
請求項３に示す本発明によれば、ユーザーの情報端末装置の操作履歴に基づきユーザーインターフェースを最適化させる構成を有するので、余計な操作を必要とせず、馴染みの手順で操作することができる。
【００２１】
請求項４に示す本発明によれば、画像のプリント指定操作履歴に基づきユーザーインターフェースを最適化させる構成を有するので、余計なプリント指定操作を必要とせず、馴染みの手順でプリント指定操作をすることができる。
【００２２】
請求項５に示す本発明によれば、映像記憶媒体の種類に応じてユーザーインターフェースを最適化させる構成を有するので、様々な映像記憶媒体の種類が存在する中のユーザーが用いている映像記憶媒体に合った操作手順で操作することができる。
【００２３】
請求項６に示す本発明によれば、映像記憶媒体と無線ＩＣチップが一体的な構成を有するので、別体に構成されているものに比して利便性が高く取り扱いが容易である。
【発明を実施するための最良の形態】
【００２４】
以下、本発明を実施するための最良の形態の一例について図面に基づき説明する。
図１は本発明の情報端末装置の一実施例を示す概略斜視図、図２は本発明の情報端末装置の制御系の一実施例を示すブロック図、図３は本発明の情報端末装置によるプリント指定操作の流れを示すフロー図、図４はユーザー・データベースの一実施例を示す説明図、図５は操作開始時の画面部と媒体読取部の一実施例を示す正面図、図６は画面部のユーザーインターフェースの一実施例（簡単設定）を示す説明図、図７は画面部のユーザーインターフェースの一実施例（詳細設定）を示す説明図である。
【００２５】
本発明に係る情報端末装置１は主として図１に示す構成を有する。即ち、情報端末装置１は、各種操作内容や画像情報確認等が説明・表示される表示部であると共に各種操作を行うタッチパネル部でもある画面部２と、映像記憶媒体が装填される媒体読取部３と、無線ＩＣチップと送受信して各種情報の読み取り及び／又は書き込みを行うリーダー／ライター部４と、決済用のベンディング部５と、プリント取出口６を有して構成されている。その他、画像読取手段、画像編集手段、プリント手段、その他の各種制御手段等、この種の情報端末装置に用いられる具体的構成としては公知公用の構成、例えば、前述した特許文献１又は２に記載されている構成等を特別の制限なく適用できる。
【００２６】
情報端末装置１は、図２に示すようにＣＰＵである制御装置によって、画面部２（表示部、タッチパネル）、媒体読取部３、リーダー／ライター部４、ベンディング部５、ハードディスク、プリント手段であるプリンター部、ＲＡＭ、ＲＯＭ、映像記憶媒体から画像を読み取ると共にプリント指定操作により読み取った画像の各種設定処理を行う画像処理部、等の各機能が制御されると共にネットワークインターフェースを介して情報端末装置１の外部においてネットワークされる管理用コンピューターによって各機能及び各情報が管理される。尚、プリント手段はネットワークを介して外部のプリンターによってプリントする構成であっても構わない。
【００２７】
本発明に用いられる無線ＩＣチップについて説明する。尚、「無線ＩＣチップ」という呼び方の他、「無線チップ」、「非接触ＩＣチップ」、「ＩＣタグ」、「無線タグ」、「ＲＦＩＤタグ」、「非接触ＩＣカード」等、様々な呼び方がある。本発明はいずれのものであってもよい。
【００２８】
本発明では、片面電極に限らず両面電極の構造を有するものであってもよく、具体的には、オムロン社製Ｖ７２０−Ｄ５２Ｐ０１、Ｖ７２０−Ｄ５２Ｐ０２、Ｖ７２０−Ｄ５２Ｐ０３、Ｖ７２０−Ｄ５２Ｐ０４、ＩＣを搭載した日立社製「ミューチップ」、凸版印刷社製「Ｔ−ジャンクション」、ＹＲＰ・ユビキタスネットワークワーキング研究所と東大阪村研究室及びルネサンステクノロジが共同開発した「ｅトロン／１６−ＡＥ４５Ｘ」等が挙げられる。
【００２９】
例えば、上記「ミューチップ」は０．４ミリ角の大きさのＲＯＭチップで、このサイズに１．４５ＧＨｚの高周波アナログ回路と１２８ビットのＲＯＭを集積しており、厚さは０．０６ミリしかないものである。
【００３０】
このミューチップは、より小さくすることを追求したため機能面では限定され、一般の無線ＩＣチップが書換可能なＲＡＭ方式であるのに対し、読み出し専用のＲＯＭ方式である。本発明では、ＲＯＭ方式、ＲＡＭ方式のいずれも採用することができるが、本発明では、ユーザー情報や決済情報の書き換えが可能なＲＡＭ方式が好ましい。
【００３１】
本発明に係る無線ＩＣチップは、情報端末装置１に用いられる無線ＩＣチップであって、情報端末装置１のユーザーインターフェースを最適化させるための情報が格納されている構成を有するものである。
【００３２】
無線ＩＣチップに記憶される情報としては、ユーザーを特定する情報、及び情報端末装置１のユーザーインターフェースを最適化させるための情報であり、具体的には、この無線ＩＣチップのＩＤ、ユーザー情報（氏名・年齢・住所・連絡先・Ｅｍａｉｌアドレス等）の他に、携帯する映像記憶媒体の種類（規格）、過去のプリント履歴（サイズや画質、１画像当たりのプリント枚数等のプリント設定に関わる種々情報）、決済情報（デポジット残高、購入ポイント累積値等）等である。プリントの決済を現金やクレジットカードによらずに決済機能を付与した無線ＩＣチップによって行うこともでき、この場合、無線ＩＣチップの購入や該無線ＩＣチップ内にデポジットされる金額については、情報端末装置を設置している店舗や管理する企業等に対応したり、或いは情報端末装置に入金機能を付与する構成としても対応可能である。
【００３３】
本発明に用いられる少なくとも記憶又は書換え可能な映像記憶媒体とは、ＳＤカード（登録商標）の如き標準規格化されているメモリーカードであり、ＳＤカードの他、ｍｉｎｉＳＤカード（登録商標）、メモリースティック（登録商標）、メモリースティックＰＲＯ（登録商標）、メモリースティックＤＵＯ（登録商標）、コンパクトフラッシュ（登録商標）、マイクロドライブ（登録商標）、ｘＤピクチャーカード（登録商標）、スマートメディア（登録商標）等に代表されるフラッシュメモリを記憶媒体とするメモリーカード等である。
【００３４】
図１に示されるように、この実施例においては、映像記憶媒体の表面に無線ＩＣチップが貼付されており、両者は一体的に構成されている。尚、映像記憶媒体と無線ＩＣチップとは別体に構成され、各々を携帯しても構わない。特にメモリ内蔵型のデジタルカメラの場合には、カメラ自身が映像記憶媒体を兼ねるため、映像記憶媒体と無線ＩＣチップとは別々に携帯せざるを得なくなる。本発明においてはそのような状況下においてもユーザーインターフェースを最適化できる。別体に構成した場合、無線ＩＣチップは携帯に適したカード状のものに搭載されていることが好ましく、カード状のものとしては、例えば、名刺タイプ、クレジットカードタイプ、ネックストラップ等によって首から下げられるＩＤカードタイプ等が挙げられる。
【００３５】
本発明に係る情報端末装置１は、無線ＩＣチップを携帯するユーザーが前記情報端末装置１に接近したことを検出し、該無線ＩＣチップ内のＩＤ情報に基づいて前記情報端末装置１のユーザーインターフェースをユーザーに応じて最適化させる構成を有する。
【００３６】
即ち、図３のフロー図に示すように、ユーザーが情報端末装置１に接近するとユーザーが携帯する無線ＩＣチップ（本実施例では無線ＩＣチップ付き映像記憶媒体）を情報端末装置１のリーダー／ライター部４が検出し（Ｓ１０１でＹｅｓ）、無線ＩＣチップに記憶されている情報に基づいてこのユーザーを特定する（Ｓ１０２）。本発明において、「ユーザーが情報端末装置に接近する」とは、ユーザーが特定（例えば、複数台の内の１台）の情報端末装置の前に立った状態だけでなく、操作可能範囲内にユーザーが入った状態や、操作可能範囲の外ではあるが特定の情報端末装置がユーザーの視界に入る距離まで近付いた状態等をいう。
【００３７】
ユーザーの特定により、ユーザーの履歴の有無（Ｓ１０３）により、リピーターであるか、初めて利用するユーザーであるかが特定される。ユーザーの情報は、携帯する無線ＩＣチップ内の情報と管理用コンピューターのユーザー・データベースの情報に基づいて把握される（Ｓ１０４、Ｓ２０４）。
【００３８】
図４に示すように、管理用コンピューターのユーザー・データベースには複数のユーザーの情報が管理されている。項目「ＩＤ」はこの無線ＩＣチップ付き映像記憶媒体８の固有番号である。項目「氏名」は氏名等のユーザー情報、項目「カード種類」は当該ＩＤが付与されている映像記憶媒体の種類（規格）であり、ＳＤはＳＤカード（登録商標）、ＭＳはメモリースティック（登録商標）、ＣＦはコンパクトフラッシュ（登録商標）を示す。項目「ＵＩ設定１」は後述する情報端末装置１のユーザーインターフェースの設定を示し、当該ユーザーが前回の端末操作において後述する簡単設定（Ｓｉｍｐｌｅ）を選んだのか、詳細設定（Ｐｏｗｅｒ  Ｕｓｅｒ）を選んだのかが記憶されている。項目「ＵＩ設定２」も同様に、前回の端末操作において、ユーザーが選択したユーザーインターフェースの設定を記憶するものであり、Ｊは日本語、Ｅは英語を示す。
【００３９】
同様に、図示はしないが、項目「ＵＩ設定３」、「ＵＩ設定４」、「ＵＩ設定５」、「ＵＩ設定６」があり、夫々、２回前及び３回前のユーザーインターフェース設定（Ｓｉｍｐｌｅ／Ｐｏｗｅｒ  Ｕｓｅｒ、Ｊ／Ｅ、Ｓｉｍｐｌｅ／Ｐｏｗｅｒ  Ｕｓｅｒ、Ｊ／Ｅ）を記憶するようになっている。履歴に基づくユーザーインターフェース設定は、単純に１回前の設定のみを採用してもよいし、１回前、２回前、３回前の多数決で設定してもよい。
【００４０】
更に無線ＩＣチップ内に記憶されている情報と同様に、過去のプリント履歴やプリント設定に係わる履歴も併せて記憶される。
【００４１】
そして、これらの履歴情報は、個々のＩＤ毎に管理用コンピューターに記憶され、管理用コンピューターでは全体管理されると共に、個々については無線ＩＣチップにも記憶される。尚、初めて情報端末装置１を使用する場合には、これら履歴情報はブランクであり、履歴情報有無で初めて利用するユーザーかどうかが判別される。
【００４２】
ここで無線ＩＣチップによって特定したユーザーの情報を用いて情報端末装置１のユーザーインターフェースが最適化されることになる。即ち、ユーザーが無線ＩＣチップを携帯して情報端末装置１に接近しただけで、実際の操作に入る前の段階で、該情報端末装置１がユーザーを認識・特定し、当該ユーザーに最適化させたユーザーインターフェース、例えば、特定のユーザーに最適化させた初期画面を整えることができる。
【００４３】
尚、無線ＩＣチップを検出できなかった場合や認識できなかった場合のバックアップとして、特許文献１に示されているように映像記憶媒体の特定の部分にユーザーＩＤ等の少なくともユーザーを特定することができる情報を記憶させておくことが好ましい。ユーザーを特定できれば、管理用コンピューターのユーザー・データベースの情報を読み出して、ユーザーインターフェースの最適化を図ることができる。
【００４４】
ユーザー・データベースの情報は、無線ＩＣチップ内の情報とリンクして、利用の度に更新されるものであり、無線ＩＣチップに記憶できない（或いは記憶しない）情報も蓄積される。
【００４５】
Ｓ１０３で履歴有り、即ち、リピーターであることが特定された場合、Ｓ１０４で過去の履歴が把握され、該履歴に基づく初期画面（図５参照）が画面部２に表示される（Ｓ１０５）。このとき、ユーザーは既に特定されているので、画面部２に「○○様」と表示することが心情的にも操作的にもユーザーフレンドリーの点で好ましい。また、ユーザーの携帯する映像記憶媒体の種類（規格）も特定済み（本実施例ではＳＤカード）なので、「お客様のお持ちのメモリーカードはＳＤカードです。」と表示し、映像記憶媒体の種類（規格）を確認・認識することが好ましい。ユーザーの携帯する映像記憶媒体の特定により、ユーザーインターフェースを当該映像記憶媒体の種類（規格）に応じて最適化させたものとすることができる。
【００４６】
Ｓ１０５で映像記憶媒体の装填を促すと共に、媒体読取部３の数種類ある装填箇所の中のＳＤカードの装填箇所を点滅させる等して正しい装填箇所を指示する。
【００４７】
Ｓ１０６で映像記憶媒体の装填が確認され、Ｓ１０７で履歴に基づくユーザーインターフェースが呼び出されて画面部２がユーザーに応じて最適な表示がなされる。本実施例では、簡単設定（図６）と詳細設定（図７）を用意したが、本発明はこの２種類に限らず、両者を混合した設定、より詳細な設定、より簡易な設定など、他の種々の設定を採ることもできる。また設定は操作の容易さ複雑さの選択だけでなく、英語・韓国語等の言語の選択、音声による操作案内の選択なども含む。
【００４８】
簡単設定（図６）の設定の一例としては、サイズは基本的なＬ版とし、選択したコマが各１枚プリントされる設定をデフォルト設定とすることが挙げられる。
【００４９】
詳細設定（図７）の設定の一例としては、選択されたコマ毎にプルダウン・メニューやダイアログ表示がなされ、サイズやプリント枚数を個別に設定できるだけでなく、画像編集（拡大・縮小・部分切り出し・回転・反転・フレーム表示・反転表示・モノクロ変換表示・セピア変換表示・テキストフレーム表示・日付写し込み等）可能とする設定とすることが挙げることができる。特に詳細設定の日付写し込みについては、プリント設定履歴に基づく自動設定が好ましい。
【００５０】
Ｓ１０７で履歴に基づく過去の設定と同じユーザーインターフェースのままでよい場合（Ｓ１０８）は、そのままＳ１１０に進んでプリントするべき画像を選択する。具体的には、図６、図７においてインデックス表示部分をタッチすることによってプリントするべきコマの選択が可能となっている。選択されたコマは枠が太くなり、識別可能である。
【００５１】
ユーザーインターフェースをこれまでのものとは変えたいときにはＳ１０８で変更を選択（Ｙｅｓ）することができる。具体的には、図６に示す簡単設定画面において、詳細設定画面に遷移するためのボタンがあり、このボタンをタッチすることによって詳細設定画面（図７）に遷移する（Ｓ１０９）。また、詳細設定画面には、簡単設定画面に遷移するためのボタンがあり、そのボタンをタッチすることで簡単設定画面に遷移する（Ｓ１０９）。両画面とも英語表記に遷移するためのボタンがあり、そのボタンをタッチすることで、英語表記に切り換わる（Ｓ１０９）。
【００５２】
設定の変更は画面部２の表示中や情報端末装置１の操作系等に変更を選択するボタン等を表示又は配設することで操作途中でも変更可能にすることもできる。設定変更した場合、この設定変更の情報（情報端末装置１の操作履歴）もＳ１１２で履歴に追加され、次回以降のプリント指定操作の情報に用いられることになる。従って、利用する度にユーザーだけのためにカスタマイズされたユーザーインターフェースが出来上がって馴染んでいくので親しみを持って操作することができるようになる。
【００５３】
以上は、Ｓ１０３で履歴有り（Ｙｅｓ）、即ち、リピーターであることが特定された場合であるが、Ｓ１０３で履歴無し（Ｎｏ）、即ち、初めて利用するユーザーであることが特定された場合（Ｓ２０３）は、過去の履歴に基づくユーザーインターフェースの最適化を行うことができないので、基本的なユーザーインターフェースを設定することになる。初めて利用するユーザーの場合、ユーザーインターフェースをよりユーザーフレンドリー化するために画面部２での文字表示に加えて音声による案内を付加してもよい。また、操作に応じて当該箇所を示すランプを点滅させる等してユーザーの視線を誘導する構成を付加してもよい。尚、音声や点滅はユーザーの選択により解除できる設定にすることが好ましい。
【００５４】
初めての利用であっても無線ＩＣチップには予めユーザー情報が記憶されているので、Ｓ２０４で把握したユーザーの各種情報（名前等のユーザー情報、決済情報、映像記憶媒体の種類（規格）等）に基づいて初期画面（図５参照）が画面部２に表示される（Ｓ２０５）。このとき、ユーザーは既に特定されているので、画面部２に「○○様」と表示することが心情的にも操作的にもユーザーフレンドリーの点で好ましい。また、ユーザーの携帯する映像記憶媒体の種類（規格）も特定済み（本実施例ではＳＤカード）なので、「お客様のお持ちのメモリーカードはＳＤカードです。」と表示し、映像記憶媒体の種類（規格）を確認・認識することが好ましい。
【００５５】
Ｓ２０５で映像記憶媒体の装填を促すと共に、媒体読取部３の数種類ある装填箇所の中のＳＤカードの装填箇所を点滅させる等して正しい装填箇所を指示する。初めて利用するユーザーであるので、画面部２に装填方法や装填向きを図解することが好ましい。
【００５６】
Ｓ２０６で映像記憶媒体の装填が確認され、Ｓ２０７で初めて利用するユーザーであることから基本的なユーザーインターフェースが呼び出されて画面部２がユーザーに応じて最適な表示がなされる。本実施例では、基本的なユーザーインターフェースとして簡単設定（図６）が表示される。以降はＳ１０８に移行し、先述の処理が実行される。
【００５７】
初めて利用するユーザーであっても、これまでこの種の情報端末装置の利用経験が有り、簡単設定が簡易過ぎて操作がもどかしかったり、或いは詳細な設定を要する等の場合は、Ｓ１０８で変更を選択（Ｙｅｓ）し、詳細設定（例えば、図７参照）に設定変更したり、或いは簡単設定（図６）の画面中等に表示されている「詳細設定画面へ」等の変更ボタンを選択することで操作中に設定変更する。
【００５８】
Ｓ１１０でプリントするべきコマの選択とプリント条件の設定が完了すると、Ｓ１１１でプリントボタンＰのタッチ、即ち、ユーザーによるプリント開始処理を検出する。
【００５９】
プリント開始の指示を検出すると（Ｓ１１１でＹｅｓ）、Ｓ１１２でユーザーインターフェースの設定を記憶し履歴に追加し（Ｓ１１２）、次いでＳ１１３で課金処理を行う。これは映像記憶媒体の表面に貼付されている無線ＩＣチップのデポジット残高をプリント注文に応じて減少させることにより行われる。その後、Ｓ１１４で実際のプリント処理を実行し、プリント処理が完了するとこのルーチンは終了する。
【図面の簡単な説明】
【００６０】
【図１】本発明の情報端末装置の一実施例を示す概略斜視図
【図２】本発明の情報端末装置の制御系の一実施例を示すブロック図
【図３】本発明の情報端末装置によるプリント指定操作の流れを示すフロー図
【図４】ユーザー・データベースの一実施例を示す説明図
【図５】操作開始時の画面部と媒体読取部の一実施例を示す正面図
【図６】画面部のユーザーインターフェースの一実施例（簡単設定）を示す説明図
【図７】画面部のユーザーインターフェースの一実施例（詳細設定）を示す説明図
【符号の説明】
【００６１】
１  情報端末装置
２  画面部
３  媒体読取部
４  リーダー／ライター部
５  ベンディング部
６  プリント取出口
７  ゲート
８  無線ＩＣチップ付き映像記憶媒体
Ｐ  プリントボタン
【図１】
2006035472.tif 000003
【図２】
2006035472.tif 000004
【図３】
2006035472.tif 000005
【図４】
2006035472.tif 000006
【図５】
2006035472.tif 000007
【図６】
2006035472.tif 000008
【図７】
2006035472.tif 000009